(57)【要約】      （修正有）【課題】耐用年数を延長させた小型のリニアボールガイドを提供する。【解決手段】軌道２０、滑り子本体３０、第一端蓋６０、第二端蓋７０、第一蓋板４０、第二蓋板５０、及び複数のボール８１から主に組成される。該第一蓋板及び該第二蓋板の装設後、第一外逆流半管６１及び第二外逆流半管７１は該滑り子本体の最も外側にそれぞれ位置され、特に該第一蓋板の該第一外逆流管半管は軸の方向に沿って弧状溝６２を凹設させ、該第二蓋板の該第二外逆流半管は軸の方向に沿って弧状凸部７２を凸設させ、各弧状凸部は該弧状溝に対応させて当接される。これにより、該第一外逆流半管及び該第二外逆流半管が連結されると重畳されるように構造設計されており、該第一外逆流半管と該第二外逆流半管との連結箇所の構造強度を強化させ、ボール８１がボールチャンネルを経由する際に発生させる外側への衝撃力により該第一外逆流半管と該第二外逆流半管との間が剥離するのを防ぐ。【選択図】図２
0003188326.tif 000002
【実用新案登録請求の範囲】
【請求項１】
軸の方向を有する軌道と、
軸の方向に沿って軌道に滑動するよう設置される滑り子本体と、
滑り子本体の一端面に設けられると共に軸の方向に沿って成型される２つの第一内逆流半管を有する第一蓋板と、
滑り子本体の他端面に設けられると共に軸の方向に沿って成型され且つ第一内逆流半管にそれぞれ接続される２つの第二内逆流半管を有する第二蓋板と、
第一蓋板に設けられると共に軸の方向に沿って成型され且つ第一内逆流半管と共に第一ボール転動のチャンネルをそれぞれ形成させる２つの第一外逆流半管、第一外逆流半管端面にそれぞれ設けられる２つの第一端面、及び第一端面から軸の方向にそれぞれ沿って第一外逆流半管に凹設される２つの弧状溝を有し、各弧状溝の弧度は９０度から２２５度の間である第一端蓋と、
第二蓋板に設けられると共に軸の方向に沿って成型され且つ第二内逆流半管と共に第二ボール転動のチャンネルをそれぞれ形成させる２つの第二外逆流半管、第一ボール転動のチャンネルに連通される第二ボール転動のチャンネル、第二外逆流半管端面にそれぞれ設けられる２つの第二端面、及び第二端面からそれぞれ軸の方向に沿って第二外逆流半管に凸設される２つの弧状凸部を有し、各弧状凸部は弧状溝に対応させて当接され、各弧状凸部の弧度は９０度から２２５度の間である第二端蓋と、
第一ボール転動のチャンネル及び第二ボール転動のチャンネルに循環して回転するように設けられる複数のボールを備える事を特徴とする、
小型のリニアボールガイド。
【請求項２】
第一端蓋の弧状溝には内溝壁面を有し、内溝壁面の弧度は９０度から２２５度の間であり、第二端蓋の弧状凸部には外弧表面を有し、外弧表面は内溝壁面に密着され、且つ弧度は９０度から２２５度の間である事を特徴とする、請求項１に記載の小型のリニアボールガイド。
【請求項３】
第一端蓋は第一端面からそれぞれ軸の方向に沿って第一外逆流半管に凹設される複数の補佐凹溝を更に有し、第二端蓋は第二端面からそれぞれ軸の方向に沿って第二外逆流半管に凸設される複数の補佐凸部を更に有し、各補佐凸部は補佐凹溝に対応させて挿設される事を特徴とする、請求項１に記載の小型のリニアボールガイド。
【請求項４】
第一蓋板の第一内逆流半管と第一端蓋の第一外逆流半管とは対応し合うはつ形部とはつ形溝とにより結合され、第二蓋板の第二内逆流半管と第二端蓋の第二外逆流半管とは対応し合うはつ形部とはつ形溝とにより結合される事を特徴とする、請求項１に記載の小型のリニアボールガイド。
【考案の詳細な説明】
【技術分野】
【０００１】
本考案は、小型のリニアボールガイドに関する。
【背景技術】
【０００２】
図１は従来のリニアボールガイドを説明する概略図である。この構造は軌道１１、滑り子本体１２、２つの蓋板１３、及び２つの端蓋１４並びに端蓋１５により組成され、滑り子本体１２は軌道１１に跨設されると共に延伸方向に沿って滑動して運行し、軌道１１と滑り子本体１２とが接触する側縁にはボール１６が設けられ、滑り子本体１２中にはボール１６のボール溝道を備え、ボール溝道に対してはボール１６を滑落しないように保持させる鋼線１７が設けられ、滑り子本体１２の前後両端には蓋板１３、端蓋１４及び端蓋１５が各々設けられ、蓋板１３、端蓋１４及び端蓋１５により形成されるボールチャンネル及びボール溝道は共に循環経路を形成させる。
【考案の概要】
【考案が解決しようとする課題】
【０００３】
しかしながら、前述した従来のリニアボールガイド技術では、ボールチャンネルの外側部は端蓋１４の外逆流半管１４１及び他の端蓋１５の外逆流半管１５１により組成され、端蓋１４の外逆流半管１４１と他の端蓋１５の外逆流半管１５１との連結箇所は構造が強化されていない。
このためボール１６がボールチャンネルを通過する際に外側へ衝撃力を与え２つの外逆流半管１４１と外逆流半管１５１との間を剥離させてしまい、ボール１６がボールチャンネルから離脱してしまう。
【０００４】
そこで、本考案者は上記の欠点が改善可能と考え、鋭意検討を重ねた結果、合理的かつ効果的に課題を改善する本考案の提案に到った。
【０００５】
本考案は、このような従来の問題に鑑みてなされたものである。上記課題解決のため、本考案は、小型のリニアボールガイドを提供することを主目的とする。
【課題を解決するための手段】
【０００６】
上述した課題を解決し、目的を達成するために、本考案に係る小型のリニアボールガイドは、軸の方向を有する軌道と、軸の方向に沿って軌道に滑動するよう設置される滑り子本体と、滑り子本体の一端面に設けられると共に軸の方向に沿って成型される２つの第一内逆流半管を有する第一蓋板と、滑り子本体の他端面に設けられると共に軸の方向に沿って成型され且つ第一内逆流半管にそれぞれ接続される２つの第二内逆流半管を有する第二蓋板と、第一蓋板に設けられると共に軸の方向に沿って成型され且つ第一内逆流半管と共に第一ボール転動のチャンネルをそれぞれ形成させる２つの第一外逆流半管、第一外逆流半管端面にそれぞれ設けられる２つの第一端面、及び第一端面から軸の方向にそれぞれ沿って第一外逆流半管に凹設される２つの弧状溝を有し、各弧状溝の弧度は９０度から２２５度の間である第一端蓋と、第二蓋板に設けられると共に軸の方向に沿って成型され且つ第二内逆流半管と共に第二ボール転動のチャンネルをそれぞれ形成させる２つの第二外逆流半管、第一ボール転動のチャンネルに連通される第二ボール転動のチャンネル、第二外逆流半管端面にそれぞれ設けられる２つの第二端面、及び第二端面からそれぞれ軸の方向に沿って第二外逆流半管に凸設される２つの弧状凸部を有し、各弧状凸部は弧状溝に対応させて当接され、各弧状凸部の弧度は９０度から２２５度の間である第二端蓋と、第一ボール転動のチャンネル及び第二ボール転動のチャンネルに循環して回転するように設けられる複数のボールを備えることを特徴とする。
【０００７】
好ましくは第一端蓋の弧状溝には内溝壁面を有し、内溝壁面の弧度は９０度から２２５度の間であり、第二端蓋の弧状凸部には外弧表面を有し、外弧表面は内溝壁面に密着され、且つ弧度は９０度から２２５度の間である。
【０００８】
好ましくは第一端蓋は第一端面からそれぞれ軸の方向に沿って第一外逆流半管に凹設される複数の補佐凹溝を更に有し、第二端蓋は第二端面からそれぞれ軸の方向に沿って第二外逆流半管に凸設される複数の補佐凸部を更に有し、各補佐凸部は補佐凹溝に対応させて挿設される。
【０００９】
好ましくは第一蓋板の第一内逆流半管と第一端蓋の第一外逆流半管とは対応し合うはつ形部とはつ形溝とにより結合され、第二蓋板の第二内逆流半管と第二端蓋の第二外逆流半管とは対応し合うはつ形部とはつ形溝とにより結合される。
【考案の効果】
【００１０】
本考案によれば、端蓋の外逆流半管間の構造強度を高め、小型のリニアボールガイドの耐用年数を延ばす。
【図面の簡単な説明】
【００１１】
【図１】従来のリニアボールガイドを説明する概略図で、二つの外逆流半管の間が分離する状態である。
【図２】本考案の実施例１による小型のリニアボールガイドを説明する傾斜模式図である。
【図３】本考案の実施例１による小型のリニアボールガイドを説明する傾斜組合せ図である。
【図４】図３の点線４―４を説明する断面図である。
【図５】図３の点線５―５を説明する断面図である。
【図６】本考案の実施例２による小型のリニアボールガイドを説明する傾斜模式図である。
【図７】本考案の実施例２による小型のリニアボールガイドを説明する傾斜組合せ図である。
【図８】図７の点線８―８を説明する断面図である。
【図９】図７の点線９―９を説明する断面図である。
【考案を実施するための形態】
【００１２】
本考案における好適な実施の形態について、添付図面を参照して説明する。尚、以下に説明する実施の形態は、実用新案登録請求の範囲に記載された本発明の内容を限定するものではない。また、以下に説明される構成の全てが、本考案の必須要件であるとは限らない。
【実施例１】
【００１３】
以下、実施例１の小型のリニアボールガイドを図２〜５に基づいて説明する。
図２乃至図５に示すように、実施例１の小型のリニアボールガイドは軌道２０、滑り子本体３０、第一蓋板４０、第二蓋板５０、第一端蓋６０、第二端蓋７０、及び複数のボール８１から主に組成される。
ここで、軌道２０は軸の方向２１、及び沿軸の方向２１に設置される２つの保持面２２を有する。滑り子本体３０は軸の方向２１に沿って軌道２０に滑動するよう設置され、且つ軌道２０の両側に対する２つのピン部３１を有し、各ピン部３１は保持面２２に対応させる滑動面３１１、及び滑動面３１１の反対に設けられる外側面３１２を有する。
【００１４】
第一蓋板４０は滑り子本体３０の一端面に設けられ、且つ軸の方向２１に沿って成型される２つの第一内逆流半管４１を有し、２つの第一内逆流半管４１は滑り子本体３０の２つのピン部３１の外側面３１２に挿設される。
また、第二蓋板５０は滑り子本体３０の他端面に設けられ、且つ軸の方向２１に沿って成型されると共に第一内逆流半管４１にそれぞれ接続される２つの第二内逆流半管５１を有し、２つの第二内逆流半管５１と同様に滑り子本体３０の２つのピン部３１の外側面３１２に挿設される。
【００１５】
第一端蓋６０は第一蓋板４０に設けられると共に軸の方向２１に沿って成型され且つ第一内逆流半管４１と共に第一ボール転動のチャンネルＡをそれぞれ形成させる２つの第一外逆流半管６１、第一外逆流半管６１の端面にそれぞれ設けられる２つの第一端面６１１、及び第一端面６１１からそれぞれ軸の方向２１に沿って第一外逆流半管６１に凹設される２つの弧状溝６２を有し、各弧状溝６２の弧度Ｒ１は１９８度（当然ながら９０度から２２５度の間であればよい）である。
本実施例による弧状溝６２の弧度Ｒ１は内溝壁面６２１を有し、内溝壁面６２１の弧度は１９８度であるものを指し、第一ボール転動のチャンネルＡの一端は滑り子本体３０の滑動面３１１の一端に接続される。
【００１６】
第二端蓋７０は第二蓋板５０に設けられると共に軸の方向２１に沿って成型され且つ第二内逆流半管５１と共に第二ボール転動のチャンネルＢをそれぞれ形成させる２つの第二外逆流半管７１、第一ボール転動のチャンネルＡと滑り子本体３０の滑動面３１１の他端との間に接続されて連通される第二ボール転動のチャンネルＢ、第二外逆流半管７１の端面にそれぞれ設けられる２つの第二端面７１１、及び第二端面７１１からそれぞれ軸の方向２１に沿って第二外逆流半管７１に凸設される２つの弧状凸部７２、及び各弧状凸部７２に対応させて当接され弧状溝６２を有し、各弧状凸部７２の弧度Ｒ２は１９８度（当然ながら９０度から２２５度の間であればよい）である。
本実施例による弧状凸部７２の弧度は外弧表面７２１を有し、外弧表面７２１は内溝壁面６２１に密着され且つ弧度は１９８度であるものを指す。このほか、第二ボール転動のチャンネルＢ、第一ボール転動のチャンネルＡ及び滑り子本体３０の滑動面３１１と軌道２０の保持面２２とにより形成される経路は循環経路を形成させる。
【００１７】
複数のボール８１は第二ボール転動のチャンネルＢ、第一ボール転動のチャンネルＡ、及び滑り子本体３０の滑動面３１１に循環して回転するように設けられ、各ボール８１が滑り子本体３０の滑動面３１１を通過する際に滑落するのを防ぐため第二端蓋７０には滑り子本体３０の滑動面３１１に対応させて鋼線８６が設けられ、ボール８１が滑落しないよう保持させる。
ボール８１及び鋼線８６は共に従来の部材であり、作動方式も従来のものと同じであり、本考案の創作の重点ではないためこれらの部材の詳細な構造及び作動方式については詳述を省く。
【００１８】
以上が本考案の実施例１の各主要部材の構造及び他の形態の説明であり、少なくとも下述の効果を有する。
第一端蓋６０及び第二端蓋７０の装設後、第一外逆流半管６１及び第二外逆流半管７１は滑り子本体３０の最も外側にそれぞれ位置され、特に第一端蓋６０の第一外逆流半管６１は軸の方向２１に沿って弧状溝６２を凹設させ、第二端蓋７０の第二外逆流半管７１は軸の方向２１に沿って弧状凸部７２を凸設させ、各弧状凸部７２は弧状溝６２に対応させて当接される。
これにより、第一外逆流半管６１及び第二外逆流半管７１が接続された後に重畳になる構造設計を有し、第一外逆流半管６１及び第二外逆流半管７１の連結箇所の構造強度を強化させ、ボール８１が第一ボール転動のチャンネルＡ及び第二ボール転動のチャンネルＢを通過させる際に発生させる外側への衝撃力の為に第一外逆流半管６１と第二外逆流半管７１との間が剥離するのを防ぎ、小型のリニアボールガイドの耐用年数の延長の目的を確実に達成させる。
【実施例２】
【００１９】
以下、実施例２の小型のリニアボールガイドを図６〜９に基づいて説明する。
実施例２の小型のリニアボールガイドは同様に軌道２０、滑り子本体３０、第一蓋板４０、第二蓋板５０、第一端蓋６０、第二端蓋７０、及び複数のボール８１から組成され、この形態及び効果は実施例１と同じであるため再述は省く。
【００２０】
実施例２に於ける実施例１との異なる点は、第一端蓋６０は第一端面６１１からそれぞれ軸の方向２１に沿って第一外逆流半管６１に凹設される複数の補佐凹溝６３を更に有し、第二端蓋７０は第二端面７１１からそれぞれ軸の方向２１に沿って第二外逆流半管７１に凸設される複数の補佐凸部７３を更に有し、各補佐凸部７３は補佐凹溝６３に対応させて挿設され、第一外逆流半管６１及び第二外逆流半管７１の連結箇所の構造強度を更に強化する点である。
【００２１】
このほかに、第一蓋板４０の第一内逆流半管４１と第一端蓋６０の第一外逆流半管６１とははつ形部４１１とはつ形溝６１２とにより結合され、第二蓋板５０の第二内逆流半管５１と第二端蓋７０の第二外逆流半管７１とははつ形部５１１とはつ形溝７１２とにより結合される。
これによって、第一内逆流半管４１及び第一外逆流半管６１の連結箇所の構造強度、及び第二内逆流半管５１及び第二外逆流半管７１の連結箇所の構造強度を強化させ、ボール８１が第一ボール転動のチャンネルＡ及び第二ボール転動のチャンネルＢを通過させる際に発生させる外側への衝撃力の為に第一内逆流半管４１及び第一外逆流半管６１の連結箇所、或いは第二内逆流半管５１及び第二外逆流半管７１の連結箇所が剥離するのを防止する。
【００２２】
上述の実施形態は本考案の技術思想及び特徴を説明するためのものにすぎず、当該技術分野を熟知する者に本考案の内容を理解させると共にこれをもって実施させることを目的とし、本考案の請求の範囲を限定するものではない。従って、本考案の精神を逸脱せずに行う各種の同様の効果をもつ改良又は変更は、後述の請求項に含まれるものとする。
【符号の説明】
【００２３】
１１    軌道
１２    滑り子本体
１３    蓋板
１４    端蓋
１４１  外逆流半管
１５    端蓋
１５１  外逆流半管
１６    ボール
１７    鋼線
２０    軌道
２１    軸の方向
２２    保持面
３０    滑り子本体
３１    ピン部
３１１  滑動面
３１２  外側面
４０    第一蓋板
４１    第一内逆流半管
４１１  はつ形部
５０    第二蓋板
５１    第二内逆流半管
５１１  はつ形部
６０    第一端蓋
６１    第一外逆流半管
６１１  第一端面
６１２  はつ形溝
６２    弧状溝
６２１  内溝壁面
６３    補佐凹溝
７０    第二端蓋
７１    第二外逆流半管
７１１  第二端面
７１２  はつ形溝
７２    弧状凸部
７２１  外弧表面
７３    補佐凸部
８１    ボール
８６    鋼線
Ａ      第一ボール転動のチャンネル
Ｂ      第二ボール転動のチャンネル
Ｒ１    弧度
Ｒ２    弧度
【図１】
0003188326.tif 000003
【図２】
0003188326.tif 000004
【図３】
0003188326.tif 000005
【図４】
0003188326.tif 000006
【図５】
0003188326.tif 000007
【図６】
0003188326.tif 000008
【図７】
0003188326.tif 000009
【図８】
0003188326.tif 000010
【図９】
0003188326.tif 000011